(57)【特許請求の範囲】
【請求項１】
カメラ付ドアホン子器が２線式信号線を通じて接続され、このカメラ付きドアホン子器によって撮像される映像を静止画として録画する機能を備える録画機能付きインターホンにおいて、
上記カメラ付きドアホン子器によって撮像される映像にノイズが混入しているかどうかによって、この映像が録画可能かを判断して、録画可能と判断した映像を静止画として録画する制御手段を備えることを特徴とする録画機能付きインターホン。
【請求項２】
請求項１において、
上記制御手段は、録画不可能と判断したときには、所定時間後に撮像された映像について録画可能かを判断することを特徴とする録画機能付きインターホン。
【請求項３】
請求項１または請求項２において、
上記カメラ付きドアホン子器によって撮像され、上記２線式信号線を通じて送出されてくるアナログ映像信号を、所定のデジタル映像信号に変換するＡ／Ｄ変換回路を少なくとも備えており、
このＡ／Ｄ変換回路は、ノイズの混入によって、上記アナログ映像信号の水平同期信号の乱れが発生したときには、所定のエラー信号を送出し、
上記制御手段は、このエラー信号の有無によって、録画の可否を判断することを特徴とする録画機能付きインターホン。
【請求項４】
少なくとも、請求項１〜３のいずれかに記載の録画機能付きインターホンに、２線式信号線を通じて、カメラ付きドアホン子器を接続して構成したインターホンシステム。
【発明の詳細な説明】
【０００１】
【発明の属する技術分野】
本発明は、カメラ付ドアホン子器が２線式信号線を通じて接続され、このカメラ付きドアホン子器によって撮像される映像を静止画として録画する機能を備える録画機能付きインターホン、及び、これを用いたインターホンシステムに関する。
【０００２】
【従来の技術】
従来より使用されている録画機能付きインターホンは、２線式信号線を通じてカメラ付きドアホン子器を接続して使用され、録画指示されたときには、カメラ付きドアホン子器によって撮像され、２線式信号線のうち信号線を通じて送出されてくる映像を、静止画として録画する、いわゆるビデオキャプチャ機能を実行することができ、その静止画を後で再生して、留守中の来客などを確認することができる。
【０００３】
【発明が解決しようとする課題】
ところで、上記した従来の録画機能付きインターホンでは、信号線の近隣に配置された機器などの影響によって、信号線を通る映像にノイズが混入することがあり、そのような場合、正常に録画することができず、乱れた映像を録画してしまう問題があった。
【０００４】
本発明は、上記事情を考慮してなされたものであり、信号線を通る映像にノイズが混入したとしても、正常な映像のみを録画できるようにした録画機能付きインターホン、及び、このインターホンを使用したインターホンシステムを提供することを目的としている。
【０００５】
【課題を解決するための手段】
上記目的を達成するために、本発明の請求項１に記載の録画機能付きインターホンでは、カメラ付きドアホン子器によって撮像される映像にノイズが混入しているかどうかによって、この映像が録画可能かを判断して、録画可能と判断した映像を静止画として録画する制御手段を備える。
【０００６】
請求項２に記載の録画機能付きインターホンでは、制御手段は、録画不可能と判断したときには、所定時間後に撮像された映像について録画可能かを判断する。
【０００７】
請求項３に記載の録画機能付きインターホンでは、カメラ付きドアホン子器によって撮像され、２線式信号線を通じて送出されてくるアナログ映像信号を、所定のデジタル映像信号に変換するＡ／Ｄ変換回路を少なくとも備えており、このＡ／Ｄ変換回路は、ノイズの混入によって、アナログ映像信号の水平同期信号の乱れが発生したときには、所定のエラー信号を送出し、制御手段は、このエラー信号の有無によって、録画の可否を判断する。
【０００８】
請求項４に記載のインターホンシステムでは、少なくとも、請求項１〜３のいずれかに記載の録画機能付きインターホンに、２線式信号線を通じて、カメラ付きドアホン子器を接続して構成した。
【０００９】
【発明の実施の形態】
以下に、本発明の実施の形態について、図面とともに説明する。図１は、本発明の録画機能付きインターホンを使用したインターホンシステムの外観例を示す図である。図２は、このシステムの要部構成の一例を示す図である。
【００１０】
このものは、インターホン１とドアホン子器３とを、信号線と電源線とで構成された２線式信号線Ｌを通じて接続して構成している。なお、Ｂ１は、このインターホン１を留守モードに設定するための留守設定ボタン、Ｂ２は、通常モードにおいて映像を録画するために操作する録画ボタン、Ｂ３は、録画した映像を再生表示させるための操作する再生ボタンを示している。
【００１１】
インターホン１は、図２に示すように、ドアホン子器３からの呼出を検出する呼出検出回路１０と、ドアホン子器３に駆動電源を供給する給電回路１１と、ドアホン子器３からのアナログ映像信号を復調する復調回路１２と、マイクＭＩとスピーカＳＰとを有し、ドアホン子器３と通話するための通話回路１３と、ドアホン子器３からの映像を、静止画として録画する録画回路ブロックＲと、液晶画面などで構成される表示回路２１とを備える。
【００１２】
録画回路ブロックＲは、このインターホン１を制御するマイコン１４と、復調回路１２によって復調されたアナログ映像信号をデジタル変換するＡ／Ｄ変換回路１５と、画像メモリ１７に一時格納された、１画面分の映像信号をＪＰＥＧ方式で圧縮したり、フラッシュメモリ１８に圧縮されて格納された１画面分の映像信号を伸張する圧縮伸張回路１６と、Ａ／Ｄ変換回路１５によってデジタル化された、１画面分の映像信号を一時格納する画像メモリ１７と、画像メモリ１７に格納された１画面分の映像信号を、圧縮データとして格納するフラッシュメモリ１８と、フラッシュメモリ１８のデジタル映像信号をアナログ変換するＤ／Ａ変換回路１９と、フラッシュメモリ１８に格納された映像信号と、ドアホン子器３からの映像信号とを、映像路を選択的に切り換えて表示回路２１に入力させる映像路切換回路２０とで構成される。
【００１３】
Ａ／Ｄ変換回路１５は、画像メモリ１７への映像取り込み中に、２線式信号線Ｌを通る映像信号にノイズが混入すると、エラー信号（ＡＦＣ  ＵＮＬＯＣＫ）を出力する。マイコン１４は、この信号の有無によって、後述する処理を行う。
【００１４】
画像メモリ１７は、Ａ／Ｄ変換回路１５によってデジタル化された、１画面分の映像信号を一時格納するため、１画面分の映像信号用に、マトリックス状のアドレスが配置されており、映像信号の順序で格納されるようになっている。
【００１５】
一方のドアホン子器３は、図２に示すように、カメラにより来客などを撮像する撮像回路３０と、撮像回路３０からの映像信号を変調する変調回路３１と、インターホン１から供給される電源を受ける受電回路３２と、マイクＭＩとスピーカＳＰとを有し、インターホン１と通話するための通話回路３３と、呼出ボタンＢ４の操作によって、インターホン１を呼び出す呼出発生回路３４とを備える。
【００１６】
このような構成の特徴的な動作について、以下に説明する。すなわち、留守モードでドアホン子器３からの呼出があったり、通常モードで録画ボタンＢ２の操作があったときには、マイコン１４は、録画動作を開始し（１００）、Ａ／Ｄ変換回路１５からの映像信号の垂直同期信号（Ｖｓｙｎｃ）を検出すると（１０１）、キャプチャーコマンドを発行する（１０２）。
【００１７】
続いて、次の垂直同期信号（Ｖｓｙｎｃ）を検出すると、Ａ／Ｄ変換回路１５からのデジタル映像信号の画像メモリ１７への取り込みを開始する（１０３）。そして、その後の取り込み中は、その映像が録画可能かを判断して、録画可能と判断した映像のみを静止画として録画する。
【００１８】
すなわち、映像の取り込み中は、マイコン１４は、所定時間Ｔ１（例えば２ｍｓ）毎に、Ａ／Ｄ変換回路１５からエラー信号が出力されているかを監視する動作を、所定回数（例えば８回）行い、その結果一度もエラー信号が出力されていなければ、画像メモリ１７への取り込みが正常に終了したと判断して、画像メモリ１７に格納された映像信号を圧縮してフラッシュメモリ１８へと格納する（１０４〜１０９）。
【００１９】
一方、映像取り込み中に、一度でもエラー信号が出力されたときには、マイコン１４は、画像メモリ１７への取り込みが正常でないと判断して、キャプチャーオフコマンドを発行して（１１０）、垂直同期信号（Ｖｓｙｎｃ）を検出後に画像メモリ１７への取り込みを中止する（１１１）。
【００２０】
そして、所定時間Ｔ２（例えば１００ｍｓ）後に、ステップ１０１に移行して再取り込み動作を行い、その途中、一度もエラー信号が出力されなければ、画像メモリ１７の映像をフラッシュメモリ１８に格納させるが、その動作を所定回数（例えば６回）繰り返しても、正常な取り込みができないときには、何も録画しない（１１２〜１１５）。
【００２１】
【発明の効果】
以上の説明からも理解できるように、本発明の請求項１に記載の録画機能付きインターホンでは、カメラ付きドアホン子器によって撮像される映像にノイズが混入しているかどうかによって、この映像が録画可能かを判断して、録画可能と判断した映像を静止画として録画するので、信号線を通る映像にノイズが混入したとしても、正常な映像のみを録画することができる。
【００２２】
請求項２に記載の録画機能付きインターホンでは、制御手段は、録画不可能と判断したときには、所定時間後に撮像された映像について録画可能かを判断するので、録画動作が複数回行われることになり、非連続性のノイズが混入している場合、その影響を避けることができ、ノイズの影響で乱れた映像を録画してしまう不具合の頻度を軽減することができる。
【００２３】
請求項３に記載の録画機能付きインターホンでは、Ａ／Ｄ変換回路から出力されるエラー信号の有無によって、録画の可否を判断するので、制御手段の制御プログラムのみを変更するだけでよく、新規な部品を付加する必要がない。
【００２４】
請求項４に記載のインターホンシステムでは、少なくとも、請求項１〜３のいずれかに記載の録画機能付きインターホンに、２線式信号線を通じて、カメラ付きドアホン子器を接続して構成しているので、請求項１〜３のいずれかの効果を奏するインターホンシステムを提供することができる。
【図面の簡単な説明】
【図１】本発明のインターホンシステムの外観例を示す図である。
【図２】本発明のインターホンシステムの要部構成例を示す図である。
【図３】
インターホンの動作の一例について説明するためのフローチャートである。
【符号の説明】
１・・・インターホン
３・・・ドアホン子器
１４・・・マイコン
１５・・・Ａ／Ｄ変換回路
１７・・・画像メモリ
Ｌ・・・２線式信号線
【図１】
0003584905.tif 000002
【図２】
0003584905.tif 000003
【図３】
0003584905.tif 000004